(57)【特許請求の範囲】
【請求項１】
排水が流入する排水口と、
排水口から下方に延出された、下方に開口を備えた筒状の防臭筒と、
内部に防臭筒の下端を収納すると共に、排水を貯留して封水を形成する封水部と、
封水部を溢れた排水を下流側へと排出する排出口を有する排水トラップであって、
防臭筒は、設備機器からの排水が流入する第一流路と、
他の設備機器からの排水が流入する第二流路と、
第二流路に配置された、第一流路側からの排水等の逆流を防止する逆止め弁を備え、
第二流路は、防臭筒内部において前記第一流路に合流し、
逆止め弁は、第一流路からの排水時に防臭筒内に流入した排水によって第二流路を閉塞するように付勢されることを特徴とする排水トラップ。
【請求項２】
前記第二流路が、防臭筒内において流路を屈曲させて、略水平方向より第一流路と合流することを特徴とする請求項１に記載の排水トラップ。
【請求項３】
前記逆止め弁が、その一端が回動可能に防臭筒内に固定されたスイング式逆止め弁であって、第二流路に対して略水平方向より当接することを特徴とする請求項１又は請求項２に記載の排水トラップ。
【請求項４】
前記逆止め弁が、上流側からの排水の流入が無い場合において第二流路の閉塞を維持することを特徴とする請求項１乃至請求項３のいずれか１つに記載の排水トラップ。
【請求項５】
前記防臭筒が、下方に進むにつれて垂直方向に対して傾斜していることを特徴とする請求項１乃至請求項４のいずれか１つに記載の排水トラップ。
【請求項６】
請求項１乃至請求項５のいずれか１つに記載の排水トラップにおいて、
内部に流路を形成する筒状のケーシング体を有し、当該ケーシング体が防臭筒に取り付けられることによって第二流路を形成することを特徴とする排水トラップ。
【発明の詳細な説明】
【技術分野】
【０００１】
本発明は、設備機器からの排水を排出すると共に、下流からの臭気、害虫が屋内へと逆流することを防ぐトラップ機能を形成する、排水トラップに関するものである。
【背景技術】
【０００２】
洗濯機や浴槽等の設備機器は、その使用により排水を排出するが、当該排水を排出する排水配管を単に下水側へと繋ぐと、下流側からの臭気や害虫が屋内へと逆流してしまう。そこで、排水トラップと呼ばれる、トラップ機能を有する装置を設けることにより、当該問題を解決している。
排水トラップは内部に排水を貯留可能な封水部を有しており、封水部において貯留された排水によって排水流路を満水（水封）状態にすることで、下流側から屋内に臭気や害虫が侵入することを防ぐトラップ機能を形成する。
ここで、上記排水トラップは、洗濯機が設備機器である場合、他の設備機器として洗濯機の故障や設備不良により漏水が生じた際等において室内が水浸しになることを防ぐ受け皿としての洗濯機防水パンからの排水が流入する構造となっている。又、浴槽が設備機器の場合には、上記排水トラップは、他の設備機器として浴槽が載置されている浴槽防水パンや浴室の排水を受ける洗い場防水パン等からの排水が流入する構造となっている。即ち、上記排水トラップは設備機器からの排水が流入する第一流路と、他の設備機器からの排水が流入する第二流路を有している。
【０００３】
特許文献１に記載の排水トラップは、設備機器としての洗濯機及び他の設備機器としての防水パンからの排水が流入し、トラップ本体、フランジ部材、封水椀、防臭筒、泡止めパイプ、目皿から構成されている。
トラップ本体は有底略円筒状且つ上部に開口を有する箱体であって、側面より排出口が開口している。フランジ部材は上端に外向きの鍔状部分を有する筒状であるとともに、外周に設けられた雄螺子によって前記トラップ本体の内周に設けられた雌螺子に螺合されている。
封水椀はトラップ本体内部に配置された椀状部材であって、設備機器から排出された排水を内部に貯留可能となっている。
防臭筒は前記フランジ部材に取り付けられた、内部に排水流路を形成する筒状部材であって、その下端が封水椀の内部に挿入されている。
泡止めパイプは防臭筒内部に配置された、内部に排水流路を形成する筒状部材である。又、泡止めパイプはその下端において内部を通過する排水を防臭筒外周と封水椀内周によって形成される排水流路へと誘導するガイド部を有し、当該ガイド部は防臭筒下端よりも下方に位置するように配置されている。
目皿は前記フランジ部材に取り付けられた円形の部材であって、防水パン上に生じた排水を排水トラップ内に排出するが、所定よりも大きなゴミの流出を防ぐ網状の捕集部を有している。
【０００４】
上記構成から成る特許文献１に記載の排水トラップは、設備機器としての洗濯機からの排水を排出する第一流路と、他の設備機器としての防水パンからの排水を排出する第二流路を形成している。
洗濯機からの排水が生じた際、当該排水は全て泡止めパイプを通じてトラップ本体内に流入し、ガイド部により防臭筒外周と封水椀内周によって形成される排水流路へと誘導される。そして、封水椀を溢れた排水はトラップ本体側方に開口する排出口より、更に下流側の配管へと排出される。従って、第一流路を通過する排水が防臭筒内周と泡止めパイプ外周によって形成される流路を通過することはほとんどない。
一方、防水パン上に排水が生じた場合、当該排水は目皿を通過してトラップ本体に流入する。当該排水は防臭筒内周と泡止めパイプ外周によって形成された排水流路を降下し、封水椀底面において流路を反転させ、封水椀を溢れた排水がトラップ本体側方に開口する排出口より、更に下流側の配管へと排出される。
【０００５】
即ち、上記排水トラップは、洗濯機より排出された排水を泡止めパイプによって防臭筒の外側に誘導することによって、当該排水が防水パンより逆流することを防ぐ構造となっている。
しかし、上記排水トラップに対し、洗濯機から多量の排水が生じた場合や、洗濯機からの排水中に多量の泡が混入していた場合等において、当該排水が泡止めパイプのガイド部の隙間より第二流路へと逆流してしまい、防水パン上に溢れ出てしまうという問題があった。
【０００６】
特許文献２には、他の設備機器としての防水パンからの排水流路である第二流路にフロート式逆止め弁を設けた排水トラップが記載されている。フロート式逆止め弁はフロートと呼ばれる、水よりも比重の低い弁体を利用し、下流側からの流体が生じた際には弁体が排水によって浮上し、第二流路を閉塞することで逆流を防止することができる逆止め弁である。しかし、設備機器としての洗濯機から排出される排水は洗剤によって泡立てられた、泡混じりの排水であることが多い。当該泡混じりの排水は内部に空気を含んでいることから体積当たりの質量が小さく、従って比重も低くなることからフロート式逆止め弁が正常に作動しないことが多く、排水の逆流を確実に防ぐことは困難であった。
又、特許文献２に記載の排水トラップにおいては、前記フロート式逆止め弁が目皿に設けられていることから、排水トラップは最低でも防臭筒の高さ幅に加えてフロート式逆止め弁の浮上する幅が必要となり、装置全体の全高が大きくなってしまっていた。尚、防臭筒と封水部によって形成される封水部分は、規格等により所定以上の高さが必要であるため、単に防臭筒を短くすることによって全高を下げることは難しい。
【先行技術文献】
【特許文献】
【０００７】
【特許文献１】特開２００８−１９６１６９号公報
【特許文献２】特開２００１−２００５６５号公報
【発明の概要】
【発明が解決しようとする課題】
【０００８】
本発明は上記問題に鑑み、装置の全高を押さえつつ、第一流路側からの排水等の逆流を防ぐ逆流防止機能を向上させた排水トラップの提供を課題とする。
【課題を解決するための手段】
【０００９】
上記課題を解決するための請求項１に記載の本発明は、
排水が流入する排水口と、
排水口から下方に延出された、下方に開口を備えた筒状の防臭筒と、
内部に防臭筒の下端を収納すると共に、排水を貯留して封水を形成する封水部と、
封水部を溢れた排水を下流側へと排出する排出口を有する排水トラップであって、
防臭筒は、設備機器からの排水が流入する第一流路と、
他の設備機器からの排水が流入する第二流路と、
第二流路に配置された、第一流路側からの排水等の逆流を防止する逆止め弁を備え、
第二流路は、防臭筒内部において前記第一流路に合流し、
逆止め弁は、第一流路からの排水時に防臭筒内に流入した排水によって第二流路を閉塞するように付勢されることを特徴とする排水トラップである。
【００１０】
請求項２に記載の本発明は、前記第二流路が、防臭筒内において流路を屈曲させて、略水平方向より第一流路と合流することを特徴とする請求項１に記載の排水トラップである。
【００１１】
尚、上記「略水平方向」とは、傾斜の全く無い状態を指すものではなく、数度程度の傾斜角を有しているものを含む。
【００１２】
請求項３に記載の本発明は、前記逆止め弁が、その一端が回動可能に防臭筒内に固定されたスイング式逆止め弁であって、第二流路に対して略水平方向より当接することを特徴とする請求項１又は請求項２に記載の排水トラップである。
【００１３】
請求項４に記載の本発明は、前記逆止め弁が、上流側からの排水の流入が無い場合において第二流路の閉塞を維持することを特徴とする請求項１乃至請求項３のいずれか１つに記載の排水トラップである。
【００１４】
請求項５に記載の本発明は、前記防臭筒が、下方に進むにつれて垂直方向に対して傾斜していることを特徴とする請求項１乃至請求項４のいずれか１つに記載の排水トラップである。
【００１５】
請求項６に記載の本発明は、請求項１乃至請求項５のいずれか１つに記載の排水トラップにおいて、
内部に流路を形成する筒状のケーシング体を有し、当該ケーシング体が防臭筒に取り付けられることによって第二流路を形成することを特徴とする排水トラップである。
【発明の効果】
【００１６】
請求項１に記載の本発明によれば、第二流路が第一流路側からの排水の逆流を防止する逆止め弁を備えているため、第一流路から多量の排水があった際や、泡混じりの排水があった際に、当該排水が第二流路を逆流することを防ぐ。
又、従来の排水トラップにおいては目皿に逆止め弁を設けていたことから、防臭筒の高さに加えて、逆止め弁の高さ幅が必要になっていたが、本発明においては防臭筒内に逆止め弁を配置したことにより、装置の全高を抑えることができる。
更に、第二流路は防臭筒内部において第一流路と合流することから、第一流路と第二流路が共通の封水を使用してトラップ機能を構成することが可能になるため、どちらか一方の流路が封水切れに成ってしまうことを防ぐことができる。
請求項２及び請求項３に記載の本発明によれば、略水平方向より第一流路と合流することから、当該合流箇所における流路面積を大きく確保することができるため、好適な排水流量を維持することができる。
請求項４に記載の本発明によれば、泡混じりの排水等、水よりも比重の低い流体によって排水流路が満たされた場合でも、好適に逆流を防ぐことができる。尚、上記「水よりも比重の低い」とは、実際には水よりも比重が低くはないが、空気等を多く含むことによって体積当たりの質量が水よりも低くなった流体を含むものである。
請求項５に記載の本発明によれば、防臭筒が下方に進むにつれて垂直方向に対して傾斜していることにより、防臭筒内部において第二流路が第一流路に合流する構造の防臭筒をインジェクション成形にて成形することが可能となる。
請求項６に記載の本発明によれば、ケーシング体を外すことによって逆止め弁や第二流路等の清掃が可能となり、メンテナンス性が向上する。
【図面の簡単な説明】
【００１７】
【図１】本発明の排水トラップを示す断面図である。
【図２】排水トラップの構成を示す分解斜視図である。
【図３】防臭筒の構成を示す分解斜視図である。
【図４】第一流路の排水の流れを示す参考図である。
【図５】第二流路の排水の流れを示す参考図である。
【図６】第二実施形態に係る本発明の排水トラップを示す断面図である。
【図７】排水トラップの構成を示す分解斜視図である。
【図８】防臭筒の構成を示す分解斜視図である。
【図９】第一流路の排水の流れを示す参考図である。
【図１０】第二流路の排水の流れを示す参考図である。
【図１１】排水トラップの施工状態を示す参考図である。
【発明を実施するための形態】
【００１８】
以下、図面を参照しながら本発明の排水トラップ１を説明する。尚、以下に記載する説明は実施形態の理解を容易にするためのものであり、これによって発明が制限して理解されるものではない。
【００１９】
以下に、本発明の第一実施形態について図１乃至図５、及び図１１を用いて説明する。
【００２０】
図１１に示すように、本実施形態に係る排水トラップ１は、設備機器としての洗濯機１００が載置された、他の設備機器としての防水パン２００の開口に取り付けられている。
防水パン２００は平面視略正方形であって、その四隅に洗濯機１００を載置するための台座部を備えるとともに、外周が防水壁部におって覆われた受け皿状であり、底面において円形の排水トラップ１取り付け孔が開口している。尚、当該取り付け孔は防水パン２００の最も低い位置に開口しており、図１に示す施工完了時において、防水パン２００上に生じた排水等は全て排水トラップ１に流入するように形成されている。
【００２１】
排水トラップ１は図１乃至図３に示すように、トラップ本体２、フランジ部材４、封水椀７、防臭筒９、目皿２２、排水エルボ２３より構成され、前記洗濯機１００からの排水を排出する第一流路１１と、防水パン２００からの排水を排出する第二流路１３を有している。
【００２２】
トラップ本体２は有底略円筒状であって、その上面及び側面に開口が形成された箱状である。トラップ本体２の上面に形成された開口はその内周において雌螺子部が螺刻されており、パッキンＰ及び防水パン２００を介して後述するフランジ部材４と螺合されている。トラップ本体２の側面に形成された開口は、トラップ本体２内部に流入した排水を更に下流側の配管へと排出する排出口３であって、当該排出口３は筒状に延設されて更に下流側の配管が接着されている。
【００２３】
フランジ部材４は円筒状であって、その上端に形成された外向きの鍔状部分と、当該鍔状部分下端より下方に延設された筒状部分より成る。筒状部分外周には雄螺子部が螺刻され、パッキンＰ及び防水パン２００を介して前記トラップ本体２と螺合されているとともに、筒状部分内周には中程において内側に延出された内向きの段部５及び突起部６が形成されている。尚、鍔状部分の外周は防水パン２００の取り付け孔よりも大径であるが、筒状部外周は取り付け孔よりも小径に形成されている。そして、前記段部５には後述する封水椀７が載置され、突起部６には後述する防臭筒９が係合されている。
【００２４】
封水椀７は有底筒状且つその上方が開口された椀状であって、側面上部において、周方向に複数の切り欠き８が形成されている。切り欠き８は略長方形であって、封水椀７はその底部から切り欠き８下端まで排水（封水）を貯留することができる。
【００２５】
防臭筒９は内部に排水流路を形成する円筒状の部材であって、その下端は前記封水椀７の底面から切り欠き８の間に配置され、その側壁は下方へ進むにつれて排出口３側へ向けて垂直方向に対して約８度傾斜している。即ち、防臭筒９は下方に進むにつれ、垂直方向に対して傾斜している。又、防臭筒９は第一流入口１０、第一流路１１、第二流入口１２、第二流路１３、逆止め弁１５、弁蓋１８、取付部２０から構成されている。尚、逆止め弁１５は防臭筒９内部に設けられた弁座１６と弁体１７によって構成されている。
第一流入口１０は第一流路１１の流入口であって、防臭筒９の上面且つ第二流入口１２よりも上方にて開口し、洗濯機１００と連結する排水エルボ２３が取り付けられている。従って、洗濯機１００からの排出された排水は全て第一流入口１０より第一流路１１内に流入する。
第一流路１１は第一流入口１０から流入した排水が流れる排水流路であり、排出口３へ向けて垂直方向に対して約８度傾斜している。又、第一流路１１は防臭筒９内において、後述する第二流路１３が略水平方向より合流するとともに、当該合流箇所に弁体１７が取り付けられている。
第二流入口１２は第二流路１３の流入口であって、防臭筒９の上面において開口し、防水パン２００上に流路を開放している。従って、防水パン２００上に生じた排水は全て第二流入口１２より第二流路１３内に流入する。
第二流路１３は第二流入口１２から流入した排水が流れる排水流路であり、排出口３へ向けて垂直方向に対して約８度傾斜した後、屈曲部１４を介して、防臭筒９の内部において略水平方向より第一流路１１と合流している。又、第二流路１３はその端部であって、第一流路１１との合流部分において、弁体１７が当接する弁座１６を有し、当該弁座１６に弁体１７が当接することで流路が閉塞されている。ここで、当該弁座１６は断面視略垂直となっており、上記弁体１７は弁座１６に対して略水平方向より当接する。尚、弁座１６について「断面視略垂直」と記載しているが、実際には図１に示す弁座１６の断面は垂直方向に対して約６度傾斜しており、弁座１６は傾斜面となっている。従って、「弁体１７は弁座１６に対して略水平方向より当接」と記載しているが、実際には弁体１７は約６度傾斜した状態で弁座１６と当接しており、弁体１７は第二流路１３に上流側から排水が流入していない時には自重によって第二流路１３を閉塞している。
弁体１７は略長方形の板体であって、水よりも比重の高い素材より成り、その上端が第一流路１１と第二流路１３との境界において配置されており、弁蓋１８によって回動自在に固定されている。又、弁体１７は周囲に亘って凸部が形成されており、当該凸部によって前記弁座１６と当接している。
弁蓋１８は下方に弁押さえ１９を有する板状であって、弁体１７が防臭筒９内に配置された後、弁押さえ１９によって防臭筒９の上方から前記弁体１７を回動自在に固定する部材である。尚、弁蓋１８は弁体１７が配置された後に防臭筒９に溶着されている。
取付部２０は防臭筒９の上端外周に設けられ、前記フランジ部材４の突起部６と係合する溝部２１及びパッキンより成る。溝部２１は取付部２０の周囲に４箇所、周方向において９０度毎に形成され、取付部２０の下端から上方に向けて傾斜している。尚、溝部２１の天地方向の幅は突起部６の天地方向の幅よりもやや大きく形成されており、突起部６が溝部２１内を摺動可能である。又、施工完了状態において、突起部６は溝部２１の端部に位置する。
【００２６】
排水エルボ２３は側面視略Ｌ字状の配管であって、上流側において洗濯機１００と連結されたジャバラ状の可撓管（図示せず）と連結し、その下端が前記第一流入口１０に挿入されている。
【００２７】
目皿２２は防臭筒９の上方であって、第二流入口１２の上方に載置された略半円状の部材あって、防水パン２００上に生じた排水を排水トラップ１内に排出するが、配管を詰まらせる恐れのある大きなゴミの流出を防ぐ網状の捕集部を有している。
【００２８】
上記排水トラップ１は第一流路１１及び第二流路１３内を排水が流れていない状態（無排水時）において、弁体１７はその自重によって第二流路１３を閉塞している。又、この時、弁体１７はその外周に設けられた凸部によって弁座１６と当接している。
【００２９】
上記排水トラップ１に対し、洗濯機１００より排水が生じた際の排水の流れを、図４を用いて説明する。尚、図４においては洗濯機１００より生じた排水の流れの一部を２点鎖線で示している。
【００３０】
まず、洗濯機１００より生じた排水は可撓管、排水エルボ２３を通じて、第一流入口１０より防臭筒９内の第一流路１１へと流入する。
ここで、第一流路１１へと流入した排水は防臭筒９の下方へ向けて流れるが、排水の一部は弁体１７を第二流路１３側へと付勢する。従って、第一流路１１内に排水が流れている間、第二流路１３は無排水時よりも強固に閉塞されており、洗濯機１００より多量の排水があった際等においても第二流路１３へと排水の逆流が生じない。
そして、防臭筒９下端まで到着した排水は封水椀７の底面にてその流れを反転させ、防臭筒９の外周と封水椀７の内周によって形成された排水流路を上昇する。そして、封水椀７の側面に設けられた切り欠き８まで達した排水は封水椀７の外側へと溢れ出て、トラップ本体２の排出口３より下水側へ向けて排出される。
【００３１】
次に、図５を用いて防水パン２００上に排水が生じた際の排水の流れを説明する。尚、図５においては防水パン２００上に生じた排水の流れの一部を２点鎖線で示している。
【００３２】
まず、防水パン２００上に排水が生じた際、当該排水は防水パン２００上を流れ、目皿２２及び第二流入口１２を通じて第二流路１３へと流入する。この時、所定よりも大きなゴミ・埃等は目皿２２の捕集部によって捕捉され、第二流路１３へは侵入しない。
次に、第二流路１３内へと流入した排水は第二流路１３の屈曲部１４によってその流れ方向を約９０度屈曲させ、弁体１７に当接する。この時、弁体１７に対して弁座１６から離間する方向に水圧が加わるため、その上端を軸として回動し、第二流路１３を開放する。
そして、弁体１７を回動させた排水は略水平方向より第一流路１１へと流入し、防臭筒９の下方へ向けて流れる。
以降の流れは前記第一流路１１を流れる排水の流れと同様に、防臭筒９の外周と封水椀７の内周によって形成された排水流路を通り、切り欠き８、排出口３より下水側へ向けて排出される。
防水パン２００からの排水が終了した際には、逆止め弁１５は弁体１７が自重により回動し、弁座１６に当接することによって再び第二流路１３を閉塞する。
【００３３】
尚、洗濯機１００又は防水パン２００からの排水が終了した際、トラップ本体２内部に流入した排水の一部は封水椀７内部に貯留され、防臭筒９内周の排水流路の一部と、防臭筒９外周と封水椀７内周によって形成される排水流路を満水（水封）状態にすることによってトラップ機能を形成する。
【００３４】
上記本発明の排水トラップ１においては、第二流路１３が第一流路１１側からの逆流を防止する逆止め弁１５（弁座１６、弁体１７）を備えているため、第一流路１１から多量の排水があった際や、泡混じりの排水があった際に、当該排水が第二流路１３へと逆流してしまうことがない。当該逆止め弁１５は無排水時において第二流路１３が閉塞される構造であるから、泡混じりの排水など、水よりも比重の低い流体によって排水流路が満たされた場合であっても好適に逆流を防ぐことができる。尚、「水よりも比重の低い」とは、実際には水よりも比重が低くはないが、空気等を多く含むことによって体積当たりの質量が水よりも低くなった流体を含むものである。
又、第二流路１３の弁座１６に対して弁体１７が略水平方向より当接することから、開弁時の排水流路が広く、好適な排水流量を確保することが可能となる。更に、防臭筒９内に逆止め弁１５を設けているため、装置の全高を抑えることができる。
そして、第二流路１３は防臭筒９内部において略水平方向より第一流路１１と合流することから、第一流路１１と第二流路１３が共通の封水を使用してトラップ機能を構成することが可能になるため、どちらか一方の流路が封水切れとなることを防ぐことができる。
又、防臭筒９は下方へ進むにつれて垂直方向に対して約８度傾斜しており、且つ弁座１６が防臭筒９と同じ方向へと約６度傾斜した構成となっている。従って、第一流路１１と第二流路１３との境界をパーティングラインとして成形を行うことによって、防臭筒９をインジェクション成形にて一体成形することが可能となる。
【００３５】
次に、本発明の第二実施形態に係る排水トラップ１について図６乃至図１１を用いて説明する。尚、第二実施形態に係る排水トラップ１は防臭筒９、目皿２２のみが前記第一実施形態に係る排水トラップ１と異なるため、当該箇所のみ説明を行う。
【００３６】
図６乃至図８に示すように、防臭筒９は内部に排水流路を形成する円筒状の部材であって、その下端は前記封水椀７の底面から切り欠き８の間に配置され、その側壁は垂下している。又、防臭筒９は第一流入口１０、第一流路１１、第二流入口１２、第二流路１３、逆止め弁１５、取付部２０、ケーシング体２４から構成されている。又、逆止め弁１５は防臭筒９内部に挿入されたケーシング体２４に設けられた弁座１６と弁体１７によって構成されている。
第一流入口１０は第一流路１１の流入口であって、防臭筒９の上面且つ第二流入口１２よりも上方にて開口し、洗濯機１００と連結する排水エルボ２３が取り付けられている。従って、洗濯機１００からの排出された排水は全て第一流入口１０より第一流路１１内に流入する。
第一流路１１は第一流入口１０から流入した排水が流れる排水流路であり、側壁が垂下している。又、第一流路１１は防臭筒９内において、後述する第二流路１３が略水平方向より合流するとともに、当該合流箇所に弁体１７が取り付けられている。
第二流入口１２は第二流路１３の流入口であって、防臭筒９の上面において開口し、防水パン２００上に流路を開放している。従って、防水パン２００上に生じた排水は全て第二流入口１２より第二流路１３内に流入する。又、第二流入口１２には内部にケーシング体２４が挿入されており、防水パン２００上に生じた排水は全て第二流入口１２よりケーシング体２４に流入する。
ケーシング体２４は平面視略半円状の筒体であって、内部に第二流路１３となる排水流路を構成し、排出口３へ向けて垂直方向に対して約８度傾斜した後、屈曲部１４を介して、防臭筒９の内部において略水平方向より第一流路１１と合流している。又、ケーシング体２４はその側面であって、第一流路１１との合流部分において、弁体１７が当接する弁座１６を有し、当該弁座１６に弁体１７が当接することによって流路が閉塞されている。ここで、当該弁座１６は断面視略垂直となっており、上記弁体１７は弁座１６に対して略水平方向より当接する。尚、弁座１６について「断面視略垂直」と記載しているが、実際には図１に示す弁座１６の断面は垂直方向に対して約６度傾斜しており、弁座１６は傾斜面となっている。従って、「弁体１７は弁座１６に対して略水平方向より当接」と記載しているが、実際には弁体１７は約６度傾斜した状態で弁座１６に当接しており、弁体１７は第二流路１３に上流側から排水が流入していない時には自重によって第二流路１３を閉塞している。
弁体１７は略長円形の板体であって、水よりも比重の高い素材より成り、その上端がケーシング体２４側面において回動自在に固定されている。又、弁体１７は周囲に亘って凸部が形成されており、当該凸部によって前記弁座１６と当接している。
取付部２０は防臭筒９の上端外周に設けられ、前記フランジ部材４の突起部６と係合する溝部２１及びパッキンより成る。溝部２１は取付部２０の周囲に４箇所、周方向において９０度毎に形成され、取付部２０の下端から上方に向けて傾斜している。尚、溝部２１の天地方向の幅は突起部６の天地方向の幅よりもやや大きく形成されており、突起部６が溝部２１内を摺動可能である。又、施工完了状態において、突起部６は溝部２１の端部に位置する。
【００３７】
目皿２２は防臭筒９の上方であって、第二流入口１２の上方に載置された略半円状の部材あって、防水パン２００上に生じた排水を排水トラップ１内に排出するが、配管を詰まらせる恐れのある大きなゴミの流出を防ぐ網状の捕集部を有している。
【００３８】
上記排水トラップ１に対し、洗濯機１００より排水が生じた際の排水の流れを、図９を用いて説明する。尚、図９においては洗濯機１００より生じた排水の流れの一部を２点鎖線で示している。
【００３９】
まず、洗濯機１００より生じた排水は可撓管、排水エルボ２３を通じて、第一流入口１０より防臭筒９内の第一流路１１へと流入する。
ここで、第一流路１１へと流入した排水は防臭筒９の下方へ向けて流れるが、排水の一部は弁体１７を第二流路１３側へと付勢する。従って、第一流路１１内に排水が流れている間、第二流路１３は無排水時よりも強固に閉塞されており、洗濯機１００より多量の排水があった際等においても第二流路１３へと排水の逆流が生じない。
そして、防臭筒９下端まで到着した排水は封水椀７の底面にてその流れを反転させ、防臭筒９の外周と封水椀７の内周によって形成された排水流路を上昇する。そして、封水椀７の側面に設けられた切り欠き８まで達した排水は封水椀７の外側へと溢れ出て、トラップ本体２の排出口３より下水側へ向けて排出される。
【００４０】
次に、図１０を用いて防水パン２００上に排水が生じた際の排水の流れを説明する。尚、図１０においては防水パン２００上に生じた排水の流れの一部を２点鎖線で示している。
【００４１】
まず、防水パン２００上に排水が生じた際、当該排水は防水パン２００上を流れ、目皿２２及び第二流入口１２を通じてケーシング体２４内に形成された第二流路１３へと流入する。この時、所定よりも大きなゴミ・埃等は目皿２２の捕集部によって捕捉され、第二流路１３へは侵入しない。
次に、第二流路１３内へと流入した排水は第二流路１３の屈曲部１４によってその流れ方向を約９０度屈曲させ、弁体１７に当接する。この時、弁体１７に対して弁座１６から離間する方向に水圧が加わるため、その上端を軸として回動し、第二流路１３を開放する。
そして、弁体１７を回動させた排水は略水平方向より第一流路１１へと流入し、防臭筒９の下方へ向けて流れる。
以降の流れは前記第一流路１１を流れる排水の流れと同様に、防臭筒９の外周と封水椀７の内周によって形成された排水流路を通り、切り欠き８、排出口３より下水側へ向けて排出される。
防水パン２００からの排水が終了した際には、逆止め弁１５は弁体１７が自重により回動し、弁座１６に当接することによって再び第二流路１３を閉塞する。
【００４２】
尚、洗濯機１００又は防水パン２００からの排水が終了した際、トラップ本体２内部に流入した排水の一部は封水椀７内部に貯留され、防臭筒９内周の排水流路の一部と、防臭筒９外周と封水椀７内周によって形成される排水流路を満水（水封）状態にすることによってトラップ機能を形成する。
【００４３】
上記本発明の排水トラップ１においては、第二流路１３が第一流路１１側からの逆流を防止する逆止め弁１５（弁座１６、弁体１７）を備えているため、第一流路１１から多量の排水があった際や、泡混じりの排水があった際に、当該排水が第二流路１３へと逆流してしまうことがない。当該逆止め弁１５は無排水時において第二流路１３が閉塞される構造であるから、泡混じりの排水など、水よりも比重の低い流体によって排水流路が満たされた場合であっても好適に逆流を防ぐことができる。尚、「水よりも比重の低い」とは、実際には水よりも比重が低くはないが、空気等を多く含むことによって体積当たりの質量が水よりも低くなった流体を含むものである。
又、第二流路１３の弁座１６に対して弁体１７が略水平方向より当接することから、開弁時の排水流路が広く、好適な排水流量を確保することが可能となる。更に、防臭筒９内に逆止め弁１５を設けているため、装置の全高を抑えることができる。
そして、第二流路１３は防臭筒９内部において略水平方向より第一流路１１と合流することから、第一流路１１と第二流路１３が共通の封水を使用してトラップ機能を構成することが可能になるため、どちらか一方の流路が封水切れとなることを防ぐことができる。
又、防臭筒９はケーシング体２４を内部に有しており、当該ケーシング体２４は防臭筒９に対して着脱可能となっている。従って、ケーシング体２４を防臭筒９より取り外すことによって、防臭筒９を取り外すことなく逆止め弁１５等の清掃を行うことが可能となっている。
【００４４】
本発明の排水トラップ１は上記実施形態に限られるものではない。例えば、上記実施形態において、排水トラップ１は設備機器としての洗濯機と、他の設備機器としての防水パン２００に取り付けられていたが、当該設備機器は浴槽等の槽体であって、他の設備機器が浴槽パンや洗い場パンであっても良い。又、所謂ダブルシンクと呼ばれる２つのシンクを有する設備に対して取り付けられ、設備機器が一方のシンクであって、他の設備機器が他方のシンクであっても良い。
【符号の説明】
【００４５】
１          排水トラップ
２          トラップ本体
３          排出口
４          フランジ部材
５          段部
６          突起部
７          封水椀
８          切り欠き
９          防臭筒
１０        第一流入口
１１        第一流路
１２        第二流入口
１３        第二流路
１４        屈曲部
１５        逆止め弁
１６        弁座
１７        弁体
１８        弁蓋
１９        弁押さえ
２０        取付部
２１        溝部
２２        目皿
２３        排水エルボ
２４        ケーシング体
Ｐ          パッキン
１００      洗濯機
２００      防水パン
【図１】
0006539867.tif 000002
【図２】
0006539867.tif 000003
【図３】
0006539867.tif 000004
【図４】
0006539867.tif 000005
【図５】
0006539867.tif 000006
【図６】
0006539867.tif 000007
【図７】
0006539867.tif 000008
【図８】
0006539867.tif 000009
【図９】
0006539867.tif 000010
【図１０】
0006539867.tif 000011
【図１１】
0006539867.tif 000012